(57)【要約】【課題】カメラ設置場所と、カメラで撮像した画像を表示する画像監視場所と、が離れている場合に、一人でも短時間に、正確に、カメラのセットアップを行う方法を提供する。【解決手段】画像監視場所或いはインターネット上に画像サーバを設置し、カメラで撮像した画像を画像サーバからＷｅｂ提供することにより、カメラ設置場所においてカメラで撮像した画像をインターネットから携帯端末で受信し、この受信した画像を携帯端末の表示部に表示して見ながらカメラのセットアップを行う。【選択図】      図１
2005286498.tif 000002
【特許請求の範囲】
【請求項１】
監視すべき場所に設置した撮像装置と前記監視すべき場所とは異なる場所に設置しかつ前記撮像装置により得られる画像を表示する表示装置とを有する監視システムの前記表示装置の入力側に接続されて前記画像をネットワークに配信する画像サーバを介して、前記ネットワークに接続される制御端末からの制御入力によって前記撮像装置の撮像位置調整を行う撮像装置のセットアップを行う方法であって、
前記ネットワークを介して前記画像サーバから供給される前記画像を前記制御端末に送信出力するステップと、
前記送信された前記画像を前記制御端末で受信して、前記制御端末側で前記画像を表示する表示ステップと、
前記ステップにより前記画像に基づいて所望の画像を得るように前記制御端末側で表示出来るように、前記制御端末から前記ネットワークを介して前記撮像装置の撮像位置の調整を行うステップと、
を有することを特徴とする撮像装置のセットアップ方法。
【請求項２】
監視すべき場所に設置した撮像装置と、前記監視すべき場所とは異なる場所に設置しかつ前記撮像装置により得られる画像を表示する表示装置とを有する監視システムの前記表示装置の入力側に接続されてインターネットに前記画像を送信する画像送信装置により、送信された前記画像をインターネット経由で画像サーバに入力し、かつ、前記入力した画像をインターネットで配信する前記画像サーバを介して、前記インターネットに接続される制御端末からの制御入力によって前記撮像装置の撮像位置調整を行う撮像装置のセットアップを行う方法であって、
前記インターネットを介して前記画像サーバから供給される前記画像を前記制御端末に送信出力するステップと、
前記送信された前記画像を前記制御端末で受信して、前記制御端末側で前記画像を表示する表示ステップと、
前記ステップにより前記画像に基づいて所望の画像を得るように前記制御端末側で表示出来るように、前記制御端末から前記インターネットを介して前記撮像装置の撮像位置の調整を行うステップと、
を有することを特徴とする撮像装置のセットアップ方法。
【発明の詳細な説明】
【技術分野】
【０００１】
本発明は、撮像装置を設置する際のカメラの設置位置、取り付け角度等のセットアップ方法に関する。
【背景技術】
【０００２】
監視用の撮像装置（以下カメラと称する）を建物に設置する時には、監視を行う部分、例えば建物の入り口、駐車場等、を撮像してカメラの設置位置、取り付け角度等を正確に調整しなければならない。
【０００３】
しかし、カメラの取り付けは設備工事と共に行われ工事図面による設置がほとんどであり、実際にカメラで建物の入り口や駐車場等を撮像し、そのカメラで撮像した画像を確認しながら設置するということは、行われていない。
【０００４】
これは、カメラ設置時には電気配線が行われているとは限らず、また設備工事を行う業者は画像機器の取り扱いには慣れていない等の理由による。
【０００５】
従って、カメラ設置工事終了後に、カメラの設置位置、取り付け角度等を、実際にカメラで監視を行う部分を直接撮像して調整する、セットアップ作業が必要となる。
【０００６】
このカメラのセットアップ作業では、カメラで撮像した画像を、カメラからは離れた位置にある監視を行う場所に設置したモニタで確認して、カメラの設置位置、取り付け角度等を正確に合わせなければならない。
【０００７】
今まで主として行われてきた、従来のカメラの設置位置、取り付け角度等のセットアップ方法例を以下に説明する。
例１）
１．まず、カメラの設置場所において、見込みでカメラの設置位置、取り付け角      度等を合わせる。
２．監視する場所のモニタで画像を確認し、修正が必要であれば、カメラの設置      場所に戻って設置位置、取り付け角度等を調整する。
３．１，２を繰り返し最適な状態に調整する。
【０００８】
例２）
１．カメラの設置場所の近辺に小型モニタを置く。
２．カメラの映像出力端子からモニタ用のビデオケーブルを外し、小型モニタに      接続する。
３．小型モニタで確認しながら、カメラの設置位置、取り付け角度等を調整する      。
４．調整が終了すると小型モニタからビデオケーブルを外し、カメラの映像出力      端子からビデオケーブルをモニタ用に接続し、ビデオケーブルを元に戻す。
５．監視する場所で最終確認を行う。
【０００９】
例１）では、カメラの設置場所と監視する場所を繰り返し往復して調整しなければならないので、調整に時間がかかり、しかも正確に合わせることは困難である。また、例２）では高い場所に設置されているカメラの映像出力端子からビデオケーブルを外して付け直す手間がかかり、さらに最終確認は監視する場所で行わなければならない。
【００１０】
図８に実際に用いられる監視システム例を示す。この監視システムはカメラ設置場所Ａに監視カメラ１、カメラ設置場所Ｂに監視カメラ２、カメラ設置場所Ｃに監視カメラ３をそれぞれ設置し、各カメラからはビデオケーブル４，５，６，で画像監視場所のスイッチャＳＷ７に接続する。スイッチャＳＷ７はビデオケーブル８でモニタ９に接続する。そして、各カメラ設置場所の監視対象物をカメラ設置場所からは離れた位置にある画像監視場所でモニタに表示されたカメラからの画像で監視する。
【００１１】
例えば、カメラ設置場所Ａにおいて監視カメラ１で撮像された監視対象物の映像信号Ｖａを、ビデオケーブル４によりＳＷ７へ送り、そしてＳＷ７のスイッチＡを押すことにより映像信号ＶａをＳＷ７の出力信号Ｖｓｗとしてビデオケーブル８を経由して監視カメラ１で撮像された画像をモニタ９に表示し監視する。
【００１２】
この監視カメラ１の設置位置、取り付け角度、アイリス等を調整する場合は、まず、カメラ設置場所Ａの監視対象物を監視カメラ１で撮像し、正しく撮像されているかを画像監視場所のモニタ９に表示される映像により確認し、もし修正が必要であればカメラ設置場所Ａにおいて、監視カメラ１を調整する。
【００１３】
もし、この監視カメラ１の調整を一人で行う場合、まずカメラ設置場所Ａにおいて、監視カメラ１の設置位置、取り付け角度等を概略調整しておき、次にカメラ設置場所Ａからは所定の距離離れた位置にある画像監視場所に移動してモニタ９に表示された監視カメラ１の画像を確認する。
【００１４】
そして、監視カメラ１の設置位置、取り付け角度、アイリス等の修正が必要であれば再度カメラ設置場所Ａに移動して、監視カメラ１を調整する。この移動して調整する動作を、監視カメラ１が正確に調整されるまで繰り返す。以下監視カメラ２、監視カメラ３の調整も同様にして正確に調整する。
【００１５】
しかし実際には、監視カメラの調整は撮像した画像を見ずに行うため、正確に調整することは困難であり、時間を無駄に費やすことになりがちである。
【００１６】
このため、正確なセットアップと時間短縮には、カメラ側とモニタ側にそれぞれ一人づつ調整用人員を配置し、電話或いは携帯電話等でお互いに連絡を取り合いながら、カメラの設置位置、取り付け角度等の調整を行う必要がある。
【特許文献１】特開平９−２８２５７０号公報
【特許文献２】特開２００３−８７７８２号公報
【発明の開示】
【発明が解決しようとする課題】
【００１７】
従来のカメラのセットアップ方法において、一人で調整を行う場合は、カメラの設置位置、取り付け角度等の調整に時間がかかり、しかも調整を正確に行うのは困難である。このため、必ず二人以上の調整用人員で、セットアップを行わなければならないと言う問題点がある。
【００１８】
そこで本発明は、上述した問題点を解決して、一人でも短時間に、正確に、カメラのセットアップを行う方法を提供することを目的とする。
【課題を解決するための手段】
【００１９】
上記の目的を達成するため、第１の発明における撮像装置（監視カメラ１，２，３）のセットアップ方法は、監視すべき場所に設置した撮像装置と前記監視すべき場所とは異なる場所に設置しかつ前記撮像装置により得られる画像を表示する表示装置（モニタ９）とを有する監視システムの前記表示装置の入力側に接続されて前記画像をネットワークに配信する画像サーバ(画像サーバ１０)を介して、前記ネットワークに接続される制御端末（携帯端末１６）からの制御入力によって前記撮像装置の撮像位置調整を行う撮像装置のセットアップを行う方法であって、前記ネットワークを介して前記画像サーバから供給される前記画像を前記制御端末に送信出力するステップ（アクセスポイント１４）と、前記送信された前記画像を前記制御端末で受信して、前記制御端末側で前記画像を表示する表示ステップと、前記ステップにより前記画像に基づいて所望の画像を得るように前記制御端末側で表示出来るように、前記制御端末から前記ネットワークを介して前記撮像装置の撮像位置の調整を行うステップ（携帯端末１６）と、を有する。
【００２０】
上記の目的を達成するため、第２の発明における撮像装置のセットアップ方法は、監視すべき場所に設置した撮像装置と、前記監視すべき場所とは異なる場所に設置しかつ前記撮像装置により得られる画像を表示する表示装置とを有する監視システムの前記表示装置の入力側に接続されてインターネット（インターネット１２）に前記画像を送信する画像送信装置(画像転送装置１７)により、送信された前記画像をインターネット経由で画像サーバ(画像サーバ３０)に入力し、かつ、前記入力した画像をインターネットで配信する前記画像サーバを介して、前記インターネットに接続される制御端末からの制御入力によって前記撮像装置の撮像位置調整を行う撮像装置のセットアップを行う方法であって、前記インターネットを介して前記画像サーバから供給される前記画像を前記制御端末に送信出力するステップと、前記送信された前記画像を前記制御端末で受信して、前記制御端末側で前記画像を表示する表示ステップと、前記ステップにより前記画像に基づいて所望の画像を得るように前記制御端末側で表示出来るように、前記制御端末から前記インターネットを介して前記撮像装置の撮像位置の調整を行うステップと、
を有する。
【発明の効果】
【００２１】
本発明のカメラのセットアップ方法によれば、いままで二人以上必要とした調整人員を一人にしても短時間に、正確に、カメラのセットアップを行うことが出来る効果がある。
【発明を実施するための最良の形態】
【００２２】
以下、本発明の実施の最良の形態につき、好ましい実施例により、図面を参照して説明する。
【実施例１】
【００２３】
図１に本発明に係るカメラセットアップ時に用いる監視カメラ調整方法例を示す。この監視カメラ調整方法例は、構内ＬＡＮ内に画像サーバを用意し、外部のアクセスポイントと携帯端末を用いてインターネットは使用せずに監視カメラの調整をカメラ設置位置で行うものである。
【００２４】
すなわち、カメラ設置場所に携帯端末を携帯して、携帯端末に表示される画像サーバ経由で画像監視場所から送られてくる監視カメラで撮像した画像を見て、監視カメラの最適な調整を行うものである。
【００２５】
最初に監視システムの例を説明する。カメラ設置場所Ａには監視カメラ１、カメラ設置場所Ｂには監視カメラ２、カメラ設置場所Ｃには監視カメラ３、をそれぞれ設置する。そして例えば、カメラ設置場所Ａは例えば建物の入り口、カメラ設置場所Ｂは例えば駐車場、カメラ設置場所Ｃは例えば建物の裏側に設置する。
【００２６】
そして各カメラ監視場所に設置した監視カメラ１，２，３からビデオケーブル４，５，６を映像監視場所のスイッチャＳＷ７に接続する。スイッチャＳＷ７からはビデオケーブル８−１をモニタ９に接続する。
【００２７】
そうすると、各カメラ監視場所に設置した監視カメラ１，２，３からアナログ映像信号Ｖａ，Ｖｂ，Ｖｃを画像監視場所に送り、スイッチャＳＷ７により選択して得たアナログ映像信号Ｖｓｗの画像をモニタ９に表示する。
【００２８】
次にこの監視システムのセットアップ時に用いるセットアップシステムについて説明する。ビデオケーブル８−１からビデオケーブル８−２を分岐して画像サーバ１０に接続する。そして、画像サーバ１０ではスイッチャＳＷ７により選択して得たアナログ映像信号Ｖｓｗを入力し、このアナログ映像信号Ｖｓｗをデジタル信号Ｄｓｅｒｖ１に変換する。
【００２９】
そして画像サーバ１０と構内ＬＡＮ１２をＬＡＮケーブル１１で接続する。次に、画像サーバ１０からデジタル信号Ｄｓｅｒｖ１を構内ＬＡＮ１２に出力する。画像サーバ１０にはＩＰアドレスを付加しておき、構内ＬＡＮ１２経由でアクセスポイント１４と接続する。
【００３０】
そして、構内ＬＡＮ１２とアクセスポイント１４はＬＡＮケーブル１３により接続する。次に、構内ＬＡＮ１２からＤａｔａ１をＬＡＮケーブル１３経由でアクセスポイント１４に送る。
【００３１】
そして、このアクセスポイント１４は通信回線１５（電波）により携帯端末１６と接続する。次に、アクセスポイント１４からＤｏｕｔ１を通信回線１５経由で携帯端末１６に送る。
【００３２】
従って、構内ＬＡＮ１２に入力されたデジタル信号Ｄｓｅｒｖ１はネットワーク用の通信データＤａｔａ１となってＬＡＮケーブル電話回線１３を経由しアクセスポイント１４に入力し、アクセスポイント１４からはＤａｔａ１を電波データＤｏｕｔ１として出力し、これを携帯端末１６で受信し、携帯端末の表示部で電波データＤｏｕｔ１に基づいた画像を表示する。
【００３３】
アクセスポイント１４からの電波データＤｏｕｔ１は、ＩＥＥＥ８０２．１１ａ、ＩＥＥＥ８０２．１１ｂ、ＩＥＥＥ８０２．１１ｇ、等の規格に基づいて作成されるものである。
【００３４】
また、携帯端末１６からは画像サーバ１０のＩＰアドレスを指定することにより、画像サーバ１０を読み出して監視カメラの撮像した画像を受信し、この受信した画像を携帯端末１６の表示部に表示する。
【００３５】
このようにして監視カメラの撮像した画像を携帯端末の表示部に表示しながら、監視カメラの設置位置、取り付け角度等の調整を行う。この場合、画像は構内ＬＡＮを通してのみ配信され、インターネットは使用していないため、外部からの盗聴の恐れは無い。
【００３６】
この監視カメラ調整システムは、監視カメラの設置時に調整を行う場合のみに、用いられる。従って、調整を行う場合は、図１に示すように、太線で強調して描かれているビデオケーブル８−２、画像サーバ１０、ＬＡＮケーブル１１、１３、アクセスポイント１４、と携帯端末１６を用意する。
【００３７】
そして図２に示すように、撮像装置の調整が済めば、これらの太線で強調して描かれている部分を取り外すことにより、構内ＬＡＮからは切り離され、閉回路の監視カメラシステムとなる。アクセスポイント１４は保守のため固定しておいても良いし、取り外すことも可能である。
【００３８】
画像サーバ１０は図３に示すように、キャプチャ部１００、画像圧縮部１０１、Ｗｅｂページ作成部１０２、Ｗｅｂサーバ、そしてＮＩＣ（Ｎｅｔｗｏｒｋ  Ｉｎｔｅｒｆａｃｅ  Ｃａｒｄ：ネットワークとのインターフェース）１０４より構成する。
【００３９】
次に、画像サーバ１０の動作を説明すると、まずアナログ映像信号Ｖｓｗをキャプチャ部１００でデジタル化し、画像圧縮部１０１においてＪＰＥＧ方式等で画像圧縮する。そしてＷｅｂページ作成部でこの画像圧縮されたデータを貼り付けたＷｅｂページを作成する。作成したＷｅｂページはＷｅｂサーバ１０３を用いてＮＩＣ１０４経由でＤｓｅｒｖ１として構内ＬＡＮ１２に送る。
【００４０】
Ｗｅｂサーバ１０３は、ＨＴＭＬ文書や画像などの情報を蓄積しておき、Ｗｅｂ HYPERLINK "http://e-words.jp/w/WebE38396E383A9E382A6E382B6.html" ブラウザなどのクライアントソフトウェアの要求に応じて、アクセスポイント、 HYPERLINK "http://e-words.jp/w/E382A4E383B3E382BFE383BCE3838DE38383E38388.html" インターネットなどのネットワークを通して、これらの情報を送信する役割を果たす。本実施例１では外部からの盗聴の恐れを防ぐためアクセスポイントのみとしているが、画像サーバ１０の読み出し時にパスワード等の認証手段を設定しておけば、インターネットに接続することも出来る。
【実施例２】
【００４１】
次に、図４に実施例２として他の監視カメラの調整方法例を示す。この監視カメラの調整方法例は、インターネットを用いて監視カメラで撮像した画像を携帯端末に送ることにより、セットアップ調整を行う。
【００４２】
まず、カメラ設置場所に設置した監視カメラで撮像した画像を画像監視場所に送り、画像監視場所からこの監視カメラで撮像した画像をインターネット経由で、画像サーバに送る。
【００４３】
そして、画像サーバでＷｅｂページを作成して、監視カメラで撮像した画像をインターネット上で公開する。このＷｅｂ上で公開されたカメラ設置場所の画像をカメラ設置場所に位置する携帯端末で読み出すことにより、携帯端末の表示部に読み出した画像を表示し、カメラ設置場所で監視カメラの調整を行うものである。
【００４４】
この監視カメラ調整方法では、まず、図４の太線で強調した部分、ビデオケーブル８−２、画像伝送装置１７、ＬＡＮケーブル１１、インターネットケーブル２３、画像サーバ３０、携帯端末１６を監視カメラ調整時に接続する。以下監視カメラシステム、監視カメラ調整方法について説明する。
【００４５】
監視カメラシステムにおけるカメラ設置場所Ａには監視カメラ１、カメラ設置場所Ｂには監視カメラ２、カメラ設置場所Ｃには監視カメラ３、をそれぞれ設置する。そして、例えば、カメラ設置場所Ａは建物の入り口、カメラ設置場所Ｂは駐車場、カメラ設置場所Ｃは建物の裏側に設置する。
【００４６】
次に、各カメラ監視場所に設置した監視カメラ１，２，３からビデオケーブル４，５，６を画像監視場所のスイッチャＳＷ７に接続する。スイッチャＳＷ７からはビデオケーブル８−１をモニタ９に接続する。
【００４７】
そうすると、各カメラ監視場所に設置した監視カメラ１，２，３から映像信号Ｖａ，Ｖｂ，Ｖｃを画像監視場所に送り、スイッチャＳＷ７により選択して得た映像信号Ｖｓｗの画像をモニタ９に表示する。
【００４８】
次に、ビデオケーブル８−１から、監視カメラ調整システム用としてビデオケーブル８−２を分岐して画像転送装置１７に接続する。この画像転送装置１７と構内ＬＡＮ１２はＬＡＮケーブル１１で接続する。そして、画像転送装置１７ではアナログ映像信号Ｖｓｗを入力し、このアナログ映像信号Ｖｓｗをデジタル信号Ｄｔｒａｎｓに変換して構内ＬＡＮ１２に出力する。
【００４９】
画像伝送装置１７は、図７（Ａ）のブロック図に示すようにキャプチャ部２００、画像圧縮部２０１、ｆｔｐ２０２、ＮＩＣ２０３で構成する。
【００５０】
この画像伝送部１７では、まず、キャプチャ部２００でアナログ映像信号Ｖｓｗをデジタル信号に変換する。そして画像圧縮部２０１でＪＰＥＧなどの圧縮方式を用いて、画像圧縮を行う。
【００５１】
この画像圧縮したデータを、転送プログラムｆｔｐ２０２によりインターネット用に変換した後、インターフェースＮＩＣ２０３で画像データＤｔｒａｎｓとして、画像サーバ３０へ向けて、まず、ＬＡＮ１２へ転送する。
【００５２】
次に、ＬＡＮ１２とゲートウェイ２０をデータ通信回線１９で接続する。そして、ＬＡＮ１２に入力したＤｔｒａｎｓを、データ通信用Ｄａｔａ２に変換してゲートウェイ２０に送る。
【００５３】
次に、ゲートウェイ２０とインターネット２２をインターネットケーブル２１で接続し、ゲートウェイ２０からＤａｔａ３をインターネット２２に送る。
【００５４】
さらに、インターネット２２と画像サーバ３０は、インターネットケーブル２３によって接続する。そして、インターネット２２に入力したＤａｔａ３を画像サーバ３０に送る。
【００５５】
画像サーバ３０は、図７（Ｂ）に示すようにＷｅｂページ作成部３００、ｆｔｐサーバ３０１、インターフェースＮＩＣ３０２、Ｗｅｂサーバ３０３で構成する。
【００５６】
この、画像サーバ３０では、インターネット２２から送られたＤａｔａ３に基づいて画像サーバ３０内でＷｅｂページを作成する。すなわち、図７（Ｂ）に示すようにインターフェース３０２からＤａｔａ３はｆｔｐサーバ３０１へ送られ、更にＷｅｂページ作成部３００に送られて、ここでＷｅｂページを作成する。この作成したＷｅｂページをＷｅｂサーバからインターネット上に公開する。
【００５７】
そして、この公開されたＷｅｂページを、携帯端末１６から無線通信回線１５経由で読み出す。そうすると、画像サーバ３０からは、ＷｅｂページとしてのデータＤｓｅｒｖ２をインターネットに送り、インターネット２２ではこのＷｅｂページとしてのデータＤｓｅｒｖ２を無線通信回線用データＤｏｕｔ２に変換して携帯端末１６に送る。
【００５８】
次に、カメラ設置場所に位置する携帯端末１６で受け取ったＤｏｕｔ２をデータ処理して、携帯端末１６の表示部に監視カメラの画像として表示する。
【００５９】
監視カメラの調整担当者は、このカメラ設置場所に位置する携帯端末１６に表示された画像によって、監視カメラの設定状態を把握し、最適な調整を行う。画像サーバ３０には適宜監視カメラからの画像が入力されるから、携帯端末１６ではこれらの画像を読み出してカメラの設置位置、取り付け角度等を調整して最も良い状態に監視カメラをセットアップ設定する。
【００６０】
そして、図５に示すようにカメラのセットアップ調整が済めば、これらの太線で強調して描かれている部分を取り外すことにより、構内ＬＡＮ、インターネットからは切り離され、閉回路の監視カメラシステムとなる。
【００６１】
ところで、画像サーバ３０は図５に示すように常時インターネット上に接続しておけば、図６に示すように複数の監視システムの調整に用いることが出来る。例えば、図６（Ａ）に示すようにまず、監視システムＡの調整を行い、次に図６（Ｂ）で監視システムＢの調整を行う。この複数の監視システムの調整時に、例えば、画像サーバ３０は、監視システムを供給するメーカのサービスセンタに設置しておき、このサービスセンタからインターネットに接続しておく。
【００６２】
この様に画像サーバ３０をインターネット上に接続しておけば、監視システムの調整を行う時は、画像転送装置１７における接続の移動のみで調整作業を行うことが出来る。この移動は簡単であり、また、保守点検等にも容易に用いることが出来る。
【００６３】
携帯端末１６は、インターネットを通じてＷｅｂの画像を閲覧が可能な、携帯電話、ＰＤＡ（Ｐｅｒｓｏｎａｌ  Ｄａｔａ  Ａｓｓｉｓｔａｎｔ）、携帯ノートブックパソコン等の市販されている携帯機器を用いる。
【００６４】
すなわち、本発明に係るシステムとしては、所定の監視すべき場所（監視場所Ａ，Ｂ，Ｃ）に設置した撮像装置（監視カメラ１，２，３）と、前記監視すべき場所から離反した場所（画像監視場所）に設置した前記撮像装置により得られる画像を表示する表示装置（もにた９）と、を有する監視システムに用いる撮像装置のセットアップシステムである。
【００６５】
そして、この撮像装置のセットアップシステムは前記表示装置に供給される撮像装置の画像を入力しデジタル化してネットワークに転送する画像転送装置（画像転送装置１７）と、前記ネットワークに転送された画像をインターネット経由で受信しＷｅｂ提供する画像サーバ（画像サーバ２０）と、前記画像サーバにアクセスし、前記Ｗｅｂ提供された画像を閲覧する携帯端末（携帯端末１６）と、からなるものである。
【００６６】
この様に構内ＬＡＮの内部から外部のインターネットに対してｆｔｐ転送を行うことは通常制限されていないから、監視カメラからの画像を、一旦、インターネット上の画像サーバに転送し、この画像サーバをＷｅｂサーバとして働かせることにより、携帯端末から自由に画像を閲覧出来る。
【００６７】
従って、構内ＬＡＮ内に画像サーバを設けて、これを外部からインターネットでアクセスする時に設けられる制限を外すことが出来る。ただ、どうしても制限したい場合は、画像送出装置と画像サーバ間、及び画像サーバと携帯端末間にパスワードのような認証手段を設ければよい。
【図面の簡単な説明】
【００６８】
【図１】本発明に係るカメラのＬＡＮを用いた調整システムの概要図を示す図である。
【図２】本発明に係るカメラのＬＡＮを用いた調整システム終了時を示す図である。
【図３】本発明に係る画像サーバの概要ブロックを示す図である。
【図４】本発明に係るカメラのインターネット調整システムの概要図を示す図である。
【図５】本発明に係るカメラのインターネット調整システム終了時を示す図である。
【図６】複数の監視システムにおける調整を示す図である。
【図７】本発明に係る画像転送装置と画像サーバの概要ブロックを示す図である。
【図８】監視カメラによる監視システムの構成を示す図である。
【符号の説明】
【００６９】
１、２、３      監視カメラ                (撮像装置)
４、５、６、８  ビデオケーブル
７              ＳＷ
９              モニタ                    (表示装置)
１０、３０      画像サーバ                (画像サーバ)
１１，１３      ＬＡＮケーブル
１２            構内ＬＡＮ                （転送ステップ）
１４            アクセスポイント          （送信出力するステップ）
１５            無線通信回線
１６            携帯端末                  （制御端末）(調整を行うステップ)
１７            画像転送装置              （画像送信装置）
１９            データ通信回線
２０            ゲートウェイ
２１、２３      インターネットケーブル
２２            インターネット            （インターネット）
１００          ビデオキャプチャ
１０１          画像圧縮部
１０２          Ｗｅｂページ作成部
１０３          Ｗｅｂサーバ
１０４          ＮＩＣ
２００          ビデオキャプチャ
２０１          画像圧縮部
２０２          ｆｔｐ
２０３          ＮＩＣ
３００          Ｗｅｂページ作成部
３０１          Ｗｅｂサーバ
３０２          ＮＩＣ
３０３          ｆｔｐサーバ
【図１】
2005286498.tif 000003
【図２】
2005286498.tif 000004
【図３】
2005286498.tif 000005
【図４】
2005286498.tif 000006
【図５】
2005286498.tif 000007
【図６】
2005286498.tif 000008
【図７】
2005286498.tif 000009
【図８】
2005286498.tif 000010